【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
コンピューター使用可能命令を格納する１つ以上のコンピューター・ハードウェア・デバイスであって、１つ以上の計算デバイスによって使用されると、当該１つ以上の計算デバイスに、没入型インタラクティブ検索エンジン・ホーム・ページをイネーブルするコンピューター実装方法を実行させ、該方法が、
ディスプレイ上における検索エンジン・ホーム・ページの提示の要求を受けるステップと、
前記要求に応答して、前記検索エンジン・ホーム・ページの第１部分上における提示のために画像を送信するステップであって、前記第１部分が、前記ディスプレイ全体未満を含み、前記画像がより大きなインタラクティブ画像の一部を含む、ステップと、
前記第１部分とは異なる前記検索エンジン・ホーム・ページの第２部分上における提示のために複数の追加画像部分を送信するステップであって、前記画像および複数の追加画像部分が集合的に前記より大きなインタラクティブ画像を構成する、ステップと、
前記より大きなインタラクティブ画像を提示すると、前記画像との追加のユーザー対話処理をイネーブルするステップと
を含む、１つ以上のデバイス。
【請求項２】
請求項１記載の１つ以上のデバイスにおいて、
前記ディスプレイ上における前記検索エンジン・ホーム・ページの提示の要求を受けるステップが、ブラウザーから前記要求を受けるステップを含み、
前記方法が、更に、前記検索エンジン・ホーム・ページの第１部分上における提示のために前記画像を送信する前に、要求元の前記ブラウザーが前記より大きなインタラクティブ画像を提示することができると判定するステップを含む、１つ以上のデバイス。
【請求項３】
請求項１記載の１つ以上のデバイスにおいて、前記方法が、更に、前記より大きなインタラクティブ画像が一層連続的に見えるように、前記第１画像と前記追加画像部分との間の境界を少なくとも部分的に曖昧にするステップを含む、１つ以上のデバイス。
【請求項４】
請求項１記載の１つ以上のデバイスにおいて、前記検索エンジン・ホーム・ページの前記第２部分上における提示のために前記複数の追加画像部分を送信するステップが、前記複数の追加画像部分を繰り返し送信するステップを含み、各繰り返しが、直前の繰り返しよりも高い解像度を有する、１つ以上のデバイス。
【請求項５】
請求項１記載の１つ以上のデバイスにおいて、前記より大きなインタラクティブ画像とのユーザー対話処理をイネーブルするステップが、前記より大きなインタラクティブ画像の周囲をパンニングすることをイネーブルするステップを含む、１つ以上のデバイス。
【請求項６】
請求項１記載の１つ以上のデバイスにおいて、前記より大きなインタラクティブ画像とのユーザー対話処理をイネーブルするステップが、前記より大きなインタラクティブ画像をズーム・インすることをイネーブルするステップを含む、１つ以上のデバイス。
【請求項７】
請求項１記載の１つ以上のデバイスにおいて、前記より大きなインタラクティブ画像が、少なくとも１つのインタラクティブ領域を含む、１つ以上のデバイス。
【請求項８】
請求項７記載の１つ以上のデバイスにおいて、前記少なくとも１つのインタラクティブ領域が、前記より大きなインタラクティブ画像内における画素位置にアンカーされる、１つ以上のデバイス。
【請求項９】
請求項１記載の１つ以上のデバイスにおいて、前記画像が、前記より大きなインタラクティブ画像の実質的に中央に位置付けられる、１つ以上のデバイス。
【請求項１０】
請求項１記載の１つ以上のデバイスにおいて、前記より大きなインタラクティブ画像が、パノラマ画像を含む、１つ以上のデバイス。
【請求項１１】
請求項１記載の１つ以上のデバイスにおいて、前記より大きなインタラクティブ画像が調査可能な写真画像を含み、複数の優位な地点、複数の方法、またはこれらの組み合わせから見ることができる、１つ以上のデバイス。
【請求項１２】
没入型インタラクティブ検索エンジン・ホーム・ページをイネーブルするシステムであって、
１つ以上のプロセッサーとコンピューター使用可能命令を格納する１つ以上のコンピューター・ハードウェアとに関連付けられた検索エンジンと、
前記検索エンジンと結合されたデータ・ストアと
を含み、
前記コンピューター使用可能命令は、前記１つ以上のプロセッサーによって実行されると、前記検索エンジンに、
ディスプレイ上における検索エンジン・ホーム・ページの提示の要求を受けるステップと、
前記要求に応答して、前記ディスプレイ全体未満を含む前記検索エンジン・ホーム・ページの第１部分上における提示のために画像を送信するステップであって、前記画像が、複数の異なる方向からのコンテンツのビューを提示するより大きなインタラクティブ画像の実質的に中央に位置付けられた一部を含むステップと、
前記第１部分とは異なる前記検索エンジン・ホーム・ページの第２部分上における提示のために複数の追加画像部分を送信するステップであって、前記画像および前記複数の追加画像部分が集合的に前記より大きなインタラクティブ画像を構成するステップと、
前記より大きなインタラクティブ画像を提示すると、前記画像との追加のユーザー対話処理をイネーブルするステップと
を行わせる、システム。
【請求項１３】
請求項１２記載のシステムにおいて、
前記検索エンジンが、前記検索エンジン・ホーム・ページの提示の要求をブラウザーから受け、
前記検索エンジン・ホーム・ページの第１部分上における提示のために前記画像を送信する前に、前記検索エンジンが、要求元の前記ブラウザーが前記より大きなインタラクティブ画像を提示することができると判定する、システム。
【請求項１４】
請求項１２記載のシステムにおいて、前記より大きな画像が一層連続的に見えるように、前記画像と前記追加画像部分との間における境界が少なくとも部分的に曖昧にされる、システム。
【請求項１５】
請求項１２記載のシステムにおいて、前記検索エンジンが、前記検索エンジン・ホーム・ページの第２部分上における提示のために前記複数の追加画像部分を繰り返し送信し、各繰り返しが、直前の繰り返しよりも高い解像度を有する、システム。
【請求項１６】
請求項１２記載のシステムにおいて、前記検索エンジンが、前記より大きなインタラクティブ画像の周囲のパンニングまたは前記より大きなインタラクティブ画像のズーム・インの内１つ以上をイネーブルすることによって、前記より大きなインタラクティブ画像とのユーザー対話処理をイネーブルする、システム。
【請求項１７】
請求項１２記載のシステムにおいて、前記より大きなインタラクティブ画像が、当該より大きなインタラクティブ画像内の画素位置にアンカーされた少なくとも１つのインタラクティブ領域を含む、システム。
【請求項１８】
コンピューター使用可能命令を格納する１つ以上のコンピューター・ハードウェア・デバイスであって、１つ以上の計算デバイスによって使用されると、当該１つ以上の計算デバイスに、没入型インタラクティブ検索エンジン・ホーム・ページをイネーブルするコンピューター実装方法を実行させ、該方法が、
ディスプレイ上における検索エンジン・ホーム・ページの提示の要求をブラウザーから受けるステップと、
要求元の前記ブラウザーが、高解像度インタラクティブ・パノラマ画像または他の調査可能な写真画像を提示することができると判定するステップと、
前記要求に応答して、前記検索エンジン・ホーム・ページの実質的に中央に位置付けられた第１部分上における提示のために画像を送信するステップであって、前記実質的に中央に位置付けられた第１部分が前記検索エンジン・ホーム・ページ全体未満を含み、前記画像が、前記パノラマ画像または他の調査可能な写真画像の実質的に中央に位置付けられた部分を含む、ステップと、
前記実質的に中央に位置付けられた第１部分とは異なりその周囲にある前記検索エンジン・ホーム・ページの第２部分上における提示のために、複数の追加画像部分を送信するステップであって、前記画像および前記複数の追加画像部分が、集合的に、前記パノラマ画像または他の調査可能な写真画像を構成する、ステップと、
前記パノラマ画像または他の調査可能な写真画像を提示すると、前記画像との追加のユーザー対話処理をイネーブルするステップと
を含む、１つ以上のデバイス。
【請求項１９】
請求項１８記載の１つ以上のデバイスにおいて、前記検索エンジン・ホーム・ページの第２部分上における提示のために前記複数の追加画像部分を送信するステップが、前記複数の追加画像部分を繰り返し送信するステップを含み、各繰り返しが、直前の繰り返しよりも高い解像度を有する、１つ以上のデバイス。
【請求項２０】
請求項１８記載の１つ以上のデバイスにおいて、前記パノラマ画像または他の調査可能な写真画像が、少なくとも１つのインタラクティブ領域を含む、１つ以上のデバイス。